(57)【要約】      （修正有）【課題】内部で点灯する照明源によって照明する表示内容を着脱、交換自在な表示体によって簡単に変更でき、また不使用時にはコンパクトに纏められる提灯を提供する。【解決手段】内装した照明源Ｌによって点灯する提灯１の周囲で囲繞する連続した側壁１０を、スライドファスナーの開閉具１３によって囲繞方向で離反あるいは接続可能にすると共に、透視性ある外側板１１、内側板１２から成る二重壁構造とし、外側板、内側板の間に表示体Ｐを挿入可能とする。内側板は、外側板の上下縁に設けた起伏自在な係止材１５によって着脱自在に支持し、外側板の内側で囲繞方向で連続した１枚とするか、あるいは外側板における区画された各側壁毎の分割板とする。側壁１０は平面で彎曲する円筒形の提灯、あるいは稜部によって区画された複数の側壁からなる多角形の提灯としてもよい。【選択図】図１
0003209890.tif 000002
【実用新案登録請求の範囲】
【請求項１】
内装した照明源によって点灯される提灯において、周囲で囲繞する連続した側壁を開閉具によって囲繞方向で離反あるいは接続可能にすると共に、透視性ある外側板、内側板から成る二重壁構造とし、外側板、内側板の間には表示体を挿入可能としたことを特徴とする提灯。
【請求項２】
開閉具は、スライドファスナーである請求項１に記載の提灯。
【請求項３】
内側板は、外側板の上下縁に設けた起伏自在な係止材によって着脱自在に支持される請求項１または２に記載の提灯。
【請求項４】
内側板は、外側板の内側で囲繞方向で連続した１枚にしてあるいは外側板における区画された各側壁毎に分割してある請求項１乃至３のいずれかに記載の提灯。
【請求項５】
側壁は平面で彎曲していて円筒形の提灯として、あるいは稜部によって区画された複数の側壁によって多角形の提灯として形成される請求項１乃至４のいずれかに記載の提灯。
【考案の詳細な説明】
【技術分野】
【０００１】
この考案は、内部で点灯される照明源によって照明される表示内容を着脱、交換自在な表示体によって簡単に変更でき、また不使用時ではコンパクトに纏められるようにもした提灯に関する。
【背景技術】
【０００２】
従来から、例えば居酒屋、割烹その他の和風の飲食物提供施設では、入口、店頭等に店名、提供料理その他の表示内容を周囲に表示した提灯を掲げ、内部で点灯される照明源によって照明している。表示内容は例えば透視性ある和紙、樹脂製肉薄シートその他の表示体に所定の文字、図形等として表示され、内部から照明されることで周囲から際立つようにしている。
【０００３】
こうした従来の提灯は、例えば蛇腹状の骨材に折り畳み・折込可能な油紙の如き表示体を取り付けて成り、不使用時では全体を縮小させるように半ば平坦状に折り畳んでいる。ただ、提灯の上下方向に配列されて外方に膨出された骨材を備えた膨らみ形状の、いわゆる行灯にあっては不使用時に折り畳みはできないから、取り扱いは面倒である。
【０００４】
また、特許文献１にあるように、内部に配する光源を覆い、防眩する外被材を保持する骨組材によって提灯とする提灯型光防眩装置が提案されている。この提灯型光防眩装置では、外被材に取り付けたファスナーの開閉によって骨組材に外被材自体を自在に装着及び脱着されるようにし、骨組材自体の窄まり構成と相俟って不使用時ではコンパクトに纏められるようにしている。
【先行技術文献】
【特許文献】
【０００５】
【特許文献１】特開２０１３−１９１４７３号公報
【考案の概要】
【考案が解決しようとする課題】
【０００６】
しかしながら、従来の折り畳み式提灯では、平坦状にコンパクトに折り畳み可能であっても、その表示体・外被材等は骨材と一体的に組み合わせられているから、例えば季節料理の変更その他に応じて表示体における表示内容を変更することは全くできず、それぞれに応じて提灯そのものを新たに別途用意する必要がある。また特許文献１の提灯型光防眩装置では、その外被材が脱着可能であることを利用して色々と異なる表示内容とした複数の外被材を用意することで表示内容を変更することは可能であっても組み立てられる骨組材の外形に対応した彎曲面状に形成しておくことは手間が掛かり、脱着作業も面倒である。
【０００７】
そこでこの考案は上述したような従来存した諸事情に鑑み案出されたもので、例えば季節毎に異なる提供料理品、宣伝内容その他の変更に対応して表示内容を簡単に変更できるようにし、しかも不使用時ではコンパクトに纏めることができ、取り扱いも容易な提灯を提供することにある。
【課題を解決するための手段】
【０００８】
上述した課題を解決するため、この考案にあっては、後述する考案を実施するための形態における使用符号を付記して説明すると、内装した照明源Ｌによって点灯される提灯において、周囲で囲繞する連続した側壁１０を開閉具１３によって囲繞方向で離反あるいは接続可能にすると共に、透視性ある外側板１１、内側板１２から成る二重壁構造とし、外側板１１、内側板１２の間には表示体Ｐを挿入可能としたことを特徴とする。
開閉具１３は、スライドファスナーによって構成することができる。
内側板１２は、外側板１１の上下縁に設けた起伏自在な係止材１５によって着脱自在に支持されることで、また、外側板１１の内側で囲繞方向で連続した１枚にしてあるいは外側板１１における区画された各側壁１０毎に分割して構成することができる。
側壁１０は平面で彎曲していて円筒形の提灯１として、あるいは稜部によって区画された複数の側壁１０によって多角形の提灯１として構成することができる。
【０００９】
以上のように構成されたこの考案に係る提灯１にあって、開閉具１３によって離反あるいは接続可能な側壁１０は、側壁１０における外側板１１、内側板１２の間に所定の表示体Ｐを挟み込ませ、内装した照明源Ｌの点灯によって表示体Ｐにおける表示内容を周囲に照明させる。
開閉具１３のスライドファスナーは、そのスライド操作によって側壁１０を離反させて展開状態とすることで、係止材１５の起伏操作と相俟って内側板１２の着脱させ、外側板１１と内側板１２との間で挟み込ませる表示体Ｐを取り外させ、また交換させる。
外側板１１の内側で囲繞方向で連続した１枚の内側板１２は、特に平面で彎曲して全体で連続している側壁１０の円筒形の提灯１に好適であり、多角形の提灯１ではその側壁１０相互間の稜部位置で折曲されることでこれに対応させる。また、外側板１１における区画された各側壁１０毎に分割した内側板１２は、稜部によって区画された複数の側壁１０による多角形の提灯１に対応させる。
【考案の効果】
【００１０】
この考案は以上説明したように構成されているため、内部で点灯される照明源Ｌによって照明される表示内容を開閉具１３によって側壁１０が分離あるいは接続されることで、側壁１０に挟み込まれている表示体Ｐの着脱、交換自在によって簡単に変更でき、また不使用時では側壁１０が平坦な展開状態となってコンパクトに纏めることができる。
【００１１】
すなわちこれはこの考案において、提灯の周囲で囲繞する連続した側壁１０を、開閉具１３によって囲繞方向で離反あるいは接続可能にして透視性ある外側板１１、内側板１２から成る二重壁構造とし、外側板１１、内側板１２の間には表示体Ｐを挿入可能としたからである。これによって、内装した照明源Ｌによって透視される側壁１０における表示体Ｐの照明、表示体Ｐの交換、着脱による照明表示内容の変更、不使用時のコンパクト化を図ることができる。
【００１２】
また、開閉具１３はスライドファスナーとすることで、連続している囲繞する側壁１０を簡単に開閉でき、開放時では係止材１５の起伏操作と相俟ち、外側板１１の内側で内側板１２と外側板１１との間の空隙を拡げることによって、外側板１１、内側板１２相互間における表示体Ｐの挟み込み、取り外し等による交換等を簡単に行うことができる。
【００１３】
内側板１２は、外側板１１の内側で囲繞方向で連続した１枚としてあることで、外側板１１が彎曲している平面で円筒形を呈する提灯１であるとき、提灯１の円周方向で連続した一連の表示内容とすることが可能な表示体Ｐを支持できる。また、平面で多角形を呈する提灯１であるとき、多角形状とする稜部位置で折曲されていることで、稜部で区画されている各側壁１０それぞれに対応して区画された複数の表示内容とすることもできる。
【００１４】
また、内側板１２は、外側板１１における区画された各側壁１０毎に分割しておくことで、各側壁１０における上下縁に設けた係止材１５によって支持された内側板１２それぞれで着脱可能にし、それぞれで表示内容の変更をも可能にし、多様な表示態様を実現することができる。
【００１５】
なお、上記の課題を解決するための手段、考案の効果の項それぞれにおいて付記した符号は、図面中に記載した構成各部を示す部分との参照を容易にするために付した。この考案は、これらの記載、図面中の符号等によって示された構造・形状等に限定されない。
【図面の簡単な説明】
【００１６】
【図１】この考案を実施するための一形態を示す使用状態の一部切欠斜視図である。
【図２】同じく一部の拡大図を含む断面図である。
【図３】同じく側壁の一部切欠展開図である。
【図４】同じく他の実施の形態における使用状態の斜視図である。
【考案を実施するための形態】
【００１７】
以下、図面を参照してこの考案を実施するための一形態を説明すると、図において示される符号１は、内装した所定の照明源Ｌによって照明されるようにして構成されている、この考案に係る提灯であり、照明源Ｌを覆うように周囲に配された側壁１０は二重壁構造となしてある。提灯１自体は、例えば平面における中心に対して対称位置にある側壁１０の上部位置に開穿形成された吊り孔２に挿通させた吊り材（図示せず）によって吊り下げられるようにしてある。また、例えばこの吊り孔２相互間に挿通連結した支持材３によって前記照明源Ｌが提灯１の内部に配置されるようにしてある。
【００１８】
側壁１０は、提灯１自体の外側に位置して周囲を囲繞する外側板１１と、この外側板１１の内側に当接状に位置して着脱自在に固定配装される内側板１２とから成る。これらの外側板１１、内側板１２はいずれも透視性がある例えば適宜肉厚の合成樹脂製シート材によって形成されていて、これらの外側板１１、内側板１２の間に形成される空隙内に、文字、図形その他が表示されているシート状の所定の表示体Ｐが差し入れられることで挟持されるようにしてある。
【００１９】
図１乃至図３において、提灯１自体は、平面で矩形状を呈する４個の側壁１０を有する中空矩形柱状に形成されており、４個の側壁１０における外側板１１は、隣接する側壁１０相互で連続形成されていて、その間の稜部においてほぼ直角に折曲されていると共に、稜部の少なくとも１箇所では、稜部に設けた例えばスライドファスナーによる開閉具１３によって開閉されることで、離反あるいは接続・連結されるようにしてある。また、図示のように外側板１１は、その稜部及び上縁、下縁では例えば所定幅員の薄肉帯状の区画枠材１４が例えば縫着することで設けられていて、個々の側壁１０として区画されていることが示されている。また、スライドファスナーによる開閉具１３は、左右で分離させて配されている帯状の区画枠材１４それぞれに設けられた左右の基布部分の相互間に架け渡し状にして配されていて、そのスライダーのスライド操作によって外側板１１自体、すなわち側壁１０自体を展開させるように分離、あるいは筒状になるように接続させる。
【００２０】
側壁１０における内側板１２は、図示にあっては、外側板１１の内側面全域に当接するよう、外側板１１の内側面全域の幅員とほぼ同様な幅員を有し、その高さは外側板１１の高さにほぼ対応した矩形状を呈している。また外側板１１が例えば折曲されていることで平面で矩形状、三角形状その他の多角形状を呈するとき、その折曲部分の位置に対応して外側板１１の内側で折曲されるようになっている。
【００２１】
もとより、図示を省略したが、内側板１２は、外側板１１が折曲される稜部を有して平面で多角形状を呈するとき、稜部によって囲繞される各側壁の大きさに対応した大きさで分割した複数枚にして配設することも可能である。
【００２２】
図示にあって内側板１２は、外側板１１の内側における上下縁部に設けた起伏自在なカード片状の係止材１５によって外側板１１との間で挟み込まれることで外側板１１の内側で当接状に配置支持されるようにしてある。係止材１５の起伏操作によって内側板１２を挟み込むことで、内側板１２を上下縁で支持でき、外側板１１と内側板１２との間の空隙内に所定の表示体Ｐを挿入し、挟み込むことができるようにしている。なお、係止材１５は、図示のように挟み込み構造とせずに、図示を省略したが例えばファスナー、スナップ、紐掛けその他によるものとすることも可能であり、要は、外側板１１、内側板１２との間に表示体Ｐを挟み込み、また差し替え可能な空隙が形成されれば足り、また内側板１２が着脱可能である構造のものでなく、固定しておいても差し支えない。
【００２３】
図４においては、提灯１自体を中空円柱状に形成した場合を示しており、この場合は平面で多角形状を呈する場合と異なり、上下縁部では区画枠材１４が配されても円周方向では特に区画する稜部がないから区画枠材１４は配されないないこともある。
【００２４】
次にこれの使用の一例を説明すると、開閉具１３による離反によって開放された側壁１０における外側板１１と内側板１２との間の空隙に、所定の文字、図柄等が表記された表示体Ｐを挿入して挟み込ませ、その後、開閉具１３によって側壁１０を接合して筒状に組み立てる。そして、支持材３によって例えばＬＥＤ灯等の照明源Ｌを支持して側壁１０内に配置すると共に、吊り孔２によって適当な場所に吊したり、掛けたりするのである。吊し、点灯することで照明源Ｌによって表示体Ｐの表記内容を周囲に照明させ、例えば店内や店頭に配置することで表示体Ｐの表示内容を顧客その他に宣伝し、アピールできるのである。
【００２５】
なお、表示体Ｐにおける表記内容は任意に選定できるのであり、また開閉具１３によって開放させ、内側板１２の一旦の取り外し、再度の取り付けによって表示体Ｐの交換が可能である。また、必要があれば外側板１１の外面に適当な表示体Ｐを付設することもでき、内側板１２、外側板１１それぞれの透視性と相俟って、前後でいわば立体的な印象を与えるようにすることも可能である。
【００２６】
内側板１２は、その配置形態によって、外側板１１の内側で外側板１１に沿って連続していたり、あるいは側壁１０毎に分離されていたりしても、係止材１５の係止によって外側板１１の内側で支持されていることで外側板１１と共に挟み込んだ表示体Ｐを展延状態で確実に支持している。
【００２７】
また、不使用時に保管する場合、開閉具１３によって開放することで展開した平坦状態となるから、この状態で積み重ねることで多数であっても全体としてコンパクトに纏めることができる。
【符号の説明】
【００２８】
Ｌ…照明源                              Ｐ…表示体
１…提灯                                ２…吊り孔
３…支持材
１０…側壁                              １１…外側板
１２…内側板                            １３…開閉具
１４…区画枠材                          １５…係止材
【図１】
0003209890.tif 000003
【図２】
0003209890.tif 000004
【図３】
0003209890.tif 000005
【図４】
0003209890.tif 000006